(57)【要約】  【課題】仕切体を有する観音式の扉において、室内の使い勝手や意匠性を阻害せず、少ない力で開くことのできる扉装置を提供する。  【解決手段】仕切体３１を取付けた左冷蔵室扉２４に対応するヒンジ２５より遠い側に背の高い第１案内ピン３４、ヒンジに近い側には背の低い第２案内ピン３５を設け、仕切体３７には扉閉の状態で庫内側に位置する側に第１案内ピンに対応する背の低い第１カム３７、庫外側に位置する側には背の高い第２カム３８を設けたことにより仕切体を有する観音式の扉において、室内の使い勝手や意匠性を阻害せず、少ない力で開くことのできる扉装置を提供することができる。【選択図】図３
2007120800.tif 000002
【特許請求の範囲】
【請求項１】
観音式の扉において、収納室開口部の上下いずれか片側に高さの異なる案内ピンを一本または複数設け、それに対応する仕切体の片側端面に高さの異なるカム形状を一本または複数設けたことを特徴とする冷蔵庫の扉装置。
【請求項２】
仕切体を取付けた扉のヒンジより遠い側に背の高い第１案内ピン、ヒンジに近い側には背の低い第２案内ピンを設け、仕切体には扉閉の状態で庫内側に位置する側に第１案内ピンに対応する背の低い第１カム、庫外側に位置する側には背の高い第２カムを設けたことを特徴とする請求項１に記載の冷蔵庫の扉装置。
【請求項３】
第２案内ピンの庫外方向に望む側を曲率半径の大きな弧状面となるように形成することを特徴とする請求項２に記載の冷蔵庫の扉装置。
【請求項４】
第２案内ピンを仕切体の回転軸まで延長したことを特徴とする請求項２または３に記載の冷蔵庫の扉装置。
【請求項５】
カム機構が取り付く扉と反対の扉のパッキング取り付面に傾斜を持たせたことを特徴とする請求項１または請求項２に記載の冷蔵庫の扉装置。
【請求項６】
カム機構をハンドル近辺に設けることを特徴とする請求項１から５のいずれかの一項に記載の冷蔵庫の扉装置。
【請求項７】
カム機構を機械式オープナー近辺に設けることを特徴とする請求項１から５のいずれかの一項に記載の冷蔵庫の扉装置。
【発明の詳細な説明】
【技術分野】
【０００１】
本発明は、冷蔵庫の扉装置に関するものである。
【背景技術】
【０００２】
近年、家庭用冷蔵庫の扉装置においては冷蔵庫上部に配置された冷蔵室の開口部前面に２枚の回転扉を設けたいわゆる観音式扉装置を採用したものが提供されている。
【０００３】
従来、観音式扉装置において、特許文献１に参照するように収納室上下端面に案内ピンと、カム機構が設けられたものが提案されている。
【０００４】
図６から図８は特許文献１に記載された従来の冷蔵庫を示すものである。図６は従来の冷蔵庫の扉開状態を示す斜視図である。図７は従来の冷蔵庫の扉閉状態と扉開状態を示す平面図である。図８（ａ）は従来の冷蔵室扉の閉状態の上部仕切体の詳細図、図８（ｂ）は従来の冷蔵室扉の閉状態の下部仕切体の詳細図である。
【０００５】
図６に示すように、冷蔵庫本体１の上部に冷蔵室２が配置され、冷蔵室２前面には前縁開口部を閉塞する冷蔵室右扉３、冷蔵室左扉４を備えている。冷蔵室右扉３と冷蔵室左扉４は冷蔵庫本体１に取付けられたヒンジ５、６により支えられ、このヒンジ５、６を中心に回転して開閉する。また、冷蔵室右扉３と冷蔵室左扉４は、ガスケット７、８を備え、冷蔵室右扉３と冷蔵室左扉４が閉じているときに冷気が冷蔵室内から漏れるのを防止している。
【０００６】
図７に示すように、仕切体９は扉内板１０に取付けたヒンジ１１により冷蔵室左扉４に設置され、仕切体９自体が自由に回転できるようになっている。
【０００７】
第１案内ピン１２は冷蔵室２の上部に配置され、第２案内ピン１３は冷蔵室２の下部に配置され、第１カム１４は仕切体９の上部に配置され、第２カム１５は仕切体９の下部に配置されている。図７に示すように、冷蔵室左扉４を開ける際に仕切体９は第１ピン１２と第１カム１４の作用により折りたたみ位置に回動変位する。また、冷蔵室左扉４を閉める際に第２ピン１３と第２カム１５の作用により突出位置に回動変位する。
【０００８】
また、仕切体９を少ない力で回動させるために、第１案内ピン１２は冷蔵室右扉３の中央側端面位置よりも右側に配置されている。また、第２案内ピン１３が冷蔵室下部に第１案内ピン１２と分割して設けられているのは、第１案内ピン１２と第２案内ピン１３同端部の設けられた場合に、冷蔵室左扉４の開放する際第２案内ピンが第１カムと当接するのを防止するためである。また、冷蔵室左扉４の閉鎖動作時に仕切体９を退避位置から突出位置に回動させるためである。
【特許文献１】特開平７−２３４０６８号公報
【発明の開示】
【発明が解決しようとする課題】
【０００９】
しかしながら、上記従来の構成では冷蔵室扉の開放動作時と閉鎖動作時とで異なった軌跡を持つ動作を仕切体に付加するために、冷蔵室上部と下部の両側に案内ピンを設ける必要があり、冷蔵室の収納物を取り出す際に妨げとなるほか、意匠性も損なうという課題を有していた。なお、案内ピンを１本にすると左冷蔵室扉の閉鎖動作時に仕切体を退避位置から突出位置に回動される必要があるため案内ピンを右扉の中央部端面より左側に配置する必要がある。これは、仕切体の回転軸近傍に案内ピンを配置することになり仕切体を回動させるのに大きな力が必要となるという課題がある。本発明は、上記従来の課題を解決するもので、案内ピンを冷蔵室の上下片側一方にまとめることにより、冷蔵室庫内の使い勝手や意匠性を損ねることなく、扉を少ない力で開けることのできる冷蔵庫の扉装置を提供することができる。
【課題を解決するための手段】
【００１０】
上記従来の課題を解決するために、収納室開口部の上下いずれか片側に高さの異なる案内ピンを一本または複数設け、それに対応する仕切体の片側端面に高さの異なるカム形状を設けたことものである。
【００１１】
これによって、案内ピンを冷蔵室の上下片側一方にまとめても扉の開く動作時の仕切体の動作と、扉を閉めるときの仕切体の動作を変えることが可能となり、使い勝手や意匠性を損ねることなく、扉を少ない力で開けることのできる冷蔵庫の扉装置を提供することができる。
【発明の効果】
【００１２】
本発明は、案内ピンを冷蔵室の上下片側一方にまとめることにより、冷蔵室庫内の使い勝手や意匠性を損ねることなく、扉を少ない力で開けることのできる冷蔵庫の扉装置を提供することができる。
【００１３】
また、それにより案内ピン形状に自由度が増えるため、左冷蔵室扉の閉鎖動作時の衝突音の低減や冷蔵室庫内の冷気漏れの低減効果がある。
【発明を実施するための最良の形態】
【００１４】
請求項１に記載の発明は、回転可能に配置された左右の冷蔵室扉と、冷蔵室扉の冷蔵室側の内縁に配置されたマグネットガスケットと、前記扉の一方に配置され他方の扉のマグネットガスケット受け面を形成する仕切体と、仕切体の片側端部に設けられたカムと、冷蔵室上部前方に配置された案内ピンを備え、前記案内ピンは高さ方向に高低差を設けたものを一本または複数設け、それに対応する仕切体の片側端面に高さの異なるカム形状を設けたことにより、扉開放動作時と閉鎖動作時とで異なる動作を付加することができる。
【００１５】
請求項２に記載の発明は、請求項１に記載の発明において、仕切体を取付けた扉のヒンジから遠い側に背の高い第１案内ピン、ヒンジに近い側には背の低い第２案内ピンを設け、仕切体には扉閉の状態で庫内側に位置する側に第１案内ピンに対応する背の低い第１カム、庫外側に位置する側には背の高い第２カムを設けたことにより、左扉を開ける際に仕切体の第１案内ピンと第１カムの作用により仕切体が回動する。扉を開ける際第１カムは第２案内ピンに影響を受けないために扉の開ける動作が重くなることはない。
【００１６】
請求項３に記載の発明は、請求項２に記載の発明において、第２案内ピンの庫外方向に望む側を曲率半径の大きな弧状面となるように形成することにより、扉を閉める際に第２カムと第２ピンとが衝突する音を低減することができる。
【００１７】
請求項４に記載の発明は、請求項２または３に記載の発明において、弧状面に設けられた第２案内ピンを案内ピンの土台端面まで延長することにより、冷蔵室内に冷気の漏れを抑えることができる。
【００１８】
請求項５に記載の発明は、請求項１または請求項２に記載の発明において、カム機構が取り付く扉と反対の扉のパッキング取り付面に傾斜を持たせたことにより、仕切体取り付け側の扉を開く際に、他方の扉に仕切体が当接することがない。
【００１９】
請求項６に記載の発明は、請求項１から５のいずれかの一項に記載の発明において、カム機構をハンドル近辺に設けることにより軽く扉を開くことができる。
【００２０】
請求項７に記載の発明は、請求項１から５のいずれかの一項に記載の発明において、カム機構を機械式オープナー近辺に設けることによりオープナーに働く負荷を低減することができる。
【００２１】
以下、本発明による冷蔵庫の実施の形態について、図面を参照しながら説明する。なお、この実施の形態によってこの発明が限定されるものではない。
【００２２】
（実施の形態１）
以下、本発明の実施の形態１を図１から図５に基づいて説明する。図１は本発明の実施の形態１における冷蔵庫の扉開状態を示す斜視図、図２は本発明の実施の形態１における左冷蔵室扉を閉鎖、開放した状態の平面断面図、図３は本発明の実施の形態１における左右冷蔵室扉を閉鎖した状態の平面詳細断面図、図４は本発明の実施の形態１における左右冷蔵室扉を閉鎖した状態の冷蔵庫の扉装置を示す上部斜視図、図５は本発明の実施の形態１における左冷蔵室扉の開放動作開始状態の平面断面図である。
【００２３】
図１に示すように、冷蔵庫本体２１の上部に冷蔵室２が配置されている。そして、その冷蔵室２の前面には、冷蔵室２２の前面開口部を開閉するための短形状をなす右冷蔵室扉３および左冷蔵室扉２４が設けられている。これらの右冷蔵室扉２３、左冷蔵室扉２４はそれぞれ外側に一部がヒンジ２５により枢支されることによって、中央側から左右に開閉する、いわゆる観音開き式とされている。
【００２４】
図２、図３に示すように、これらの右冷蔵室扉２３と左冷蔵室扉２４は内箱２６と外板７２と上部蓋体（図面略）と下部蓋体（図面略）とそれを断熱一体発泡するためのウレタン２８より構成されている。右冷蔵室扉２３と左冷蔵室扉２４の内箱外周には溝形状２９が設けられ、閉鎖時の機密性を確保するためのマグネットガスケット３０が枠状に嵌め込み配置されている。このマグネットガスケット３０のうち各扉の中央側の辺部に位置する部分を受け、且つ両扉を開放させたときに冷蔵室の開口部全体を開放させるために、左冷蔵室扉２４に仕切体３１が設けられるようになっている。
【００２５】
仕切体３１は断面が長方形状をなす上下に細長い柱状をなし、左冷蔵室扉２４の右側の裏面に沿って設けられている。この場合、仕切体３１は左冷蔵室扉２４に設けられた支持部材３２に、回転支点３３を中心として水平方向に回動可能に取付けられている。これにて、仕切体３１は実線で示すような左冷蔵室２４の右側方へ突出して両扉間に位置された突出位置と、同図に二点鎖線で示すような左冷蔵室扉２４の側部に後方側へ折り畳まれた状態となる退避位置との間を回動変位可能とされている。この仕切体３１は左冷蔵室扉２４の閉鎖状態においては、突出位置にあってマグネットガスケット３０を受けるようになっており、左冷蔵室扉２４の開放状態においては邪魔にならないように退避位置とされるようになっている。以下、仕切体３１を突出位置と退避位置との間を回動変位させるための構造について記述する。
【００２６】
冷蔵室２２の開口部における上縁部所定位置には、下方に突出する第１案内ピン３４と第２案内ピン３５を有する短形板状の上部レール部材３６が設けられている。第１案内ピン３４は第２案内ピン３５と比較すると、仕切体３１を取付けた左冷蔵室扉２４に対するヒンジ２５からの位置が遠くなるように配置されている。また、第１案内ピン３４は第２案内ピン３５と比較すると背を高く設定してある。第２案内ピン３５は仕切体３１を突出位置に回動させるために右冷蔵室扉２３よりも左側に飛び出すように設けられている。
【００２７】
そして仕切板３１の上端部には、第１案内ピン３４と第２案内ピン３５が相対的に摺動する第１カム３７と第２カム形状３８を有する上部仕切カバー３９が設けられている。第１カム３７は左冷蔵室扉２４の閉鎖時に冷蔵室庫内方向に位置するよう配置され、第２カム３８は冷蔵室外側方向に配置されている。第１カム３７は第２カム３８と比較すると背を低く設定してある。
【００２８】
以上のように構成された冷蔵庫の扉装置について以下その動作、作用を説明する。
【００２９】
左冷蔵室扉２４と右冷蔵室扉２３がともに閉鎖された状態では、仕切体３１は突出位置に保持されている。また、右冷蔵室扉２３のみが開放された状態においても仕切体３１は突出位置に保持されている。これらの状態において左冷蔵室扉２４の開放動作を行うと、第１の案内ピン３４が第１のカム３７を相対的に摺動することにより、第１カム３７が第１案内ピン３４に押圧されて、仕切体３１が回転支点３３を中心に反時計回りに回動されて折り畳まれるように退避位置に回動変位されることになる。このとき、第１カム３７は背を低くしているために第２案内ピン３５とでは高さ方向で干渉しないようになっている。これは、第２案内ピン３５は右冷蔵室扉２３より左側に飛び出しているので、もし第１カム３７と第２案内ピン３５が干渉する位置関係にあれば、案内ピンが仕切体の回転支点３３に近づくことになり、仕切体３１を回転させるために大きな力が必要なるのを防止するためである。
【００３０】
一方、左冷蔵室扉２４が開放された状態から閉鎖される際には、まず退避位置にある第２カム３８が第２案内ピン３５に進入する。そして、その第２案内ピン３５が第２カム３８を相対的に摺動することにより、第２カム３８が第２案内ピン３５により押圧されて、仕切体３１が退避位置から時計回りに回動されて突出位置に回動変位されることになる。
【００３１】
第２案内ピン３５は両側の扉の閉鎖状態において左冷蔵室扉２４から右冷蔵室扉２３にかけて横長形状となっている。これは、左冷蔵室扉２４の閉鎖時に仕切体３１が退避位置から突出位置に回動する際に、閉鎖回動タイミングを早めることにより、仕切体３１が右冷蔵室扉２３の中央側の配置したマグネットガスケット３０を叩く音を低減することができる。また、第２案内ピン３８の庫外方向に望む側は曲率半径の大きな弧状面となるように形成されている。これにより、左冷蔵室扉２４の閉鎖時の衝突音をより小さいものとすることができる。また、第２案内ピン３５の左冷蔵室扉２４側は仕切体３１の回転軸よりも延長している。これにより、右冷蔵室扉２３と、左冷蔵室扉２４がともに閉鎖状態にあるときに、図４に示すように第２案内ピン３５と第２カム３８とが重なりあい、冷蔵室の上縁部に配置されたレール部材３６と第２カム３８との隙間より逃げる冷気の経路を延長することが可能となり、第２カム３８の前面壁に対する熱影響を受け難くなる。このため、前面壁３９に露が付くことを極力防止できる。
【００３２】
一方、左右冷蔵室扉中央側の内板２６、外板２７には傾斜部４０を設けてある。これは、図５に示すように左冷蔵室扉２４の開放動作時に第１案内ピン３４と第１カム３７との作用により仕切体３１が退避位置に回動する際に、第１案内ピン３４は扉を開ける力を低減するためにできるだけ右冷蔵室側に寄せてあるため仕切体３１の退避動作が扉の開放動作に対して遅れて右冷蔵室扉２３に当接するのを防止するための役割を果たす。
【００３３】
本発明は上記実施例にのみ限定されるものではなく、次のように変形拡張できる。
【００３４】
上記実施例では第１案内ピン３４と第２案内ピン３５は冷蔵庫の開口部における上縁部所定位置に配置され、第１カム３７と第２カム３８は左冷蔵室扉２４の仕切体３１上部に配置されているが、第１案内ピン３４と第２案内ピン３５は冷蔵庫の開口部における下縁部所定位置とし、第１カム３７と第２カム３８は左冷蔵室扉２４の仕切体３１下部に配置してもよい。また、仕切体３１を設ける扉を右冷蔵室扉２３としても良い。
【００３５】
なお、本構成の冷蔵庫の扉装置は観音式の扉中央の上部または下部に配置され、両方の扉のハンドルは扉装置の近傍に配置してある。これにより、ハンドルに加えられた扉を開ける力により扉がひねられるのを防止する働きをするため、扉を開ける力を低減することが可能となる。
【００３６】
なお、本扉装置の近傍に機械式のオープナーを配置することにより、オープナー装置にかかる負荷を低減することが可能となり、低い電圧で扉が開くようになりコストダウンにつながる。
【産業上の利用可能性】
【００３７】
以上のように、本発明にかかる冷蔵庫の扉装置は、仕切体を有する観音式の扉において、室内の使い勝手や意匠性を阻害せず、少ない力で開くことのできる扉装置を提供することが可能となるもので、冷蔵庫に限らず観音開き式の扉を有する各種の装置に適用することができる。
【図面の簡単な説明】
【００３８】
【図１】本発明の実施の形態１における冷蔵庫の扉開状態を示す斜視図
【図２】本発明の実施の形態１における左冷蔵室扉を閉鎖、開放した状態の平面断面図
【図３】本発明の実施の形態１における左右冷蔵室扉を閉鎖した状態の平面詳細断面図
【図４】本発明の実施の形態１における左右冷蔵室扉を閉鎖した状態の冷蔵庫の扉装置を示す上部斜視図
【図５】本発明の実施の形態１における左冷蔵室扉の開放動作開始状態の平面断面図
【図６】従来の冷蔵庫の扉開状態を示す斜視図
【図７】従来の冷蔵庫の扉閉状態と扉開状態を示す平面図
【図８】（ａ）従来の冷蔵室扉の閉状態の上部仕切体の詳細図（ｂ）従来の冷蔵室扉の閉状態の下部仕切体の詳細図
【符号の説明】
【００３９】
２４  左冷蔵室扉
２５  ヒンジ
３０  マグネットガスケット
３１  仕切体
３３  回転支点（回転軸）
３４  第１案内ピン
３５  第２案内ピン
３７  第１カム
３８  第２カム
【図１】
2007120800.tif 000003
【図２】
2007120800.tif 000004
【図３】
2007120800.tif 000005
【図４】
2007120800.tif 000006
【図５】
2007120800.tif 000007
【図６】
2007120800.tif 000008
【図７】
2007120800.tif 000009
【図８】
2007120800.tif 000010